(57)【特許請求の範囲】
【請求項１】
固定設置された電話機において、
前記電話機がケーブルで接続されたハンドセットを有し、前記ケーブルの範囲内でハンドセットの位置を自在に設定可能とし、前記ハンドセットに所定の通信範囲を有する赤外線発光受光モジュールを設け、
赤外線データ通信動作を実行中にハンドセットを電話機本体に収納したことを検知した場合には赤外線データ通信を停止するデータ通信停止手段を設けたことを特徴とする電話機。
【請求項２】
固定設置された電話機において、
前記電話機がケーブルで接続されたハンドセットを有し、前記ケーブルの範囲内でハンドセットの位置を自在に設定可能とし、前記ハンドセットに所定の通信範囲を有する赤外線発光受光モジュールを設け、
ハンドセットを電話機本体から取り上げたことを検知した場合にはハンドセット上に取り付けた赤外線発光受光モジュールでの赤外線データの送受信を許可する赤外線送受信起動手段と、ハンドセットを電話機本体に収納したことを検知した場合にはハンドセット上に取り付けた赤外線発光受光モジュールでの赤外線データの送受信を停止する赤外線送受信停止手段を設けたことを特徴とする電話機。
【請求項３】
請求項１乃至２のいずれかに記載の電話機において、
ハンドセットを電話機本体から取り上げた状態で音声通話動作を実行中に、切替指示によって音声通話動作を停止し、赤外線データ端末とやりとりするデータを以て公衆回線によるデータ通信を行う赤外線データ通信動作へ切替えるデータ通信切替手段を設けたことを特徴とする電話機。
【請求項４】
請求項３に記載の電話機において、
データ通信切替手段として、切替ボタンを用いたことを特徴とする電話機。
【請求項５】
請求項３に記載の電話機において、
データ通信切替手段として、赤外線データ端末から受信するデータ通信切替指示データを用いたことを特徴とする電話機。
【発明の詳細な説明】
【０００１】
【発明の属する技術分野】
本発明は、赤外線を利用したデータ通信機能を具備する電話機、特に赤外線の発光及び受光に指向性を持たせて、例えば１ｍ程度の距離内で電話機の制御ならびに電話機を経由してデータ通信等を行う赤外線データ端末と相互にデータをやりとりする電話機に関するものである。
【０００２】
【従来の技術】
従来、赤外線を利用したデータ通信機能を具備する電話機等の通信機器、特に赤外線の発光及び受光に指向性を持たせて１ｍ程度の距離内で対向する赤外線データ端末と相互にデータをやりとりする通信機器については、通信機器の本体部に１個または複数個の赤外線発光受光モジュールを備えることにより、対向する赤外線データ端末との間で赤外線により交互にデータをやりとりする動作を行っている。この場合、赤外線による通信可能範囲を限定することにより、通信機器及び赤外線データ端末間の通信を安定させるとともに、外部からの通信の妨害や傍受を防止するようにしていた。
【０００３】
ただし、通信可能範囲が限定されるために、通信機器および赤外線データ端末の位置関係ならびに赤外線発光受光モジュールの取り付け位置により、通信機器の通信可能範囲と赤外線発光受光モジュールの通信可能範囲とが重ならない場合がある。特に、通信機器の一方が公衆電話網または構内網に接続された電話機のような固定的に設置する通信機器である場合、一般に電話機側は机や台等に固定的に設置し、対向する赤外線データ端末を電話機に近づけて通信するため、電話機側の赤外線発光受光モジュールにおける通信可能範囲内に赤外線データ端末を配置できない場合に、電話機は移動困難であるために通信可能範囲内に収めることは通常は困難である。これに対しては、特願平７−１８０２４０号の如く、電話機上に複数の赤外線発光受光モジュールを取り付けることにより、通信可能範囲を広げる方法が考案されている。
【０００４】
また、固定的に設置する通信機器本体から赤外線発光受光モジュールを遊離させ、通信機器本体と赤外線発光受光モジュールを通信ケーブルで結合することにより、赤外線発光受光モジュールをケーブルの届く範囲で移動させることで、通信可能範囲を重ねる方法もとられている。
【０００５】
しかしながら、前述した従来の技術による電話機では、以下のような問題がある。これを図面を参照して説明する。
【０００６】
図６は、従来の電話機における、電話機と赤外線データ端末との位置関係及び通信可能範囲の一例を示すもので、図中、１００は例えば公衆電話機で、電話機本体１０とハンドセット３０等よりなる。２００は赤外線データ端末、１０１，２０１は赤外線発光受光モジュール、４０は端末テーブルである。赤外線データ端末２００は、公衆電話機１００と赤外線の発光及び受光によって公衆電話機１００の制御ならびに公衆電話機１００を経由してデータ通信等を行う場合、その操作のために端末テーブル４０上に置かれることが多い。
【０００７】
この場合、端末テーブル４０は、公衆電話機１００の設置形態により、図６のように電話機本体１０の赤外線発光受光モジュール１０１に対して段差ｈにより異なる高さとなる場合がある。また、赤外線データ端末２００は、端末テーブル４０の広さによっては、公衆電話機１００にかなり近づけて置く場合が多く、この場合、図６のようにそれぞれの赤外線発光受光モジュール１０１，２０１の通信可能範囲Ｒ１０１，Ｒ２０１が重ならない場合があることを示している。この場合、端末テーブル４０における段差ｈをなくすか、端末テーブル４０上に赤外線発光受光モジュール１０１を配置することが考えられるが、端末テーブル４０は、配置する赤外線データ端末２００が、公衆電話機１００と赤外線の発光及び受光によって公衆電話機１００の制御ならびに公衆電話機１００を経由してデータ通信等を行うことを考慮しない既存の端末テーブルである場合が多く、その場合、赤外線発光受光モジュール１０１，２０１の通信可能範囲Ｒ１０１，Ｒ２０１を重ねることは困難であった。
【０００８】
また、図７は、電話機本体１０から赤外線発光受光モジュール１０１を遊離させ、電話機本体１０と赤外線発光受光モジュール１０１を通信ケーブル１０３で結合することにより、赤外線発光受光モジュール１０１を通信ケーブル１０３の届く範囲で移動させることで赤外線発光受光モジュール１０１の通信可能範囲Ｒ１０１と赤外線データ端末２００の赤外線発光受光モジュール２０１の通信可能範囲Ｒ２０１を重ねることができる従来の技術を適用した公衆電話機１００を示している。ここに電話機本体１０側の赤外線発光受光モジュール１０１は、電話機本体１０から遊離した形で通信ケーブル１０３で接続されているので、赤外線データ端末２００の配置が電話機本体１０の正面でなくても、赤外線発光受光モジュール２０１の通信可能範囲Ｒ２０１を通信可能範囲Ｒ１０１に重ねることができる。しかしながら、電話機本体１０においてハンドセット３０の他にもう一つの遊離して通信ケーブル１０３で接続された部分が生じるため、利用者にとって操作が煩雑となるという問題があり、また、電話機本体１０が公衆電話機１００のように不特定多数によって利用されるものの場合、遊離した赤外線発光受光モジュール１０１が乱暴に扱われ破損したり、通信ケーブル１０３が切断されたりする恐れがあり、ハンドセット３０と同様に堅牢な材質で製作する必要があり、電話機の価格を上昇させるといった問題が生じていた。
【０００９】
【発明が解決しようとする課題】
上記のように、図６に示す従来例においては赤外線発光受光モジュール１０１と２０１の通信可能範囲Ｒ１０１とＲ２０１とを重ねることが困難であり、また、図７に示す従来例では通信ケーブル１０３を用いているため利用者にとって操作が煩雑であり、電話機の価格も上昇してしまうという問題点があった。
【００１０】
本発明はこれらの問題点を解決するためになされたものであり、電話機と対向する赤外線データ端末との間で相互の赤外線発光受光モジュールの通信可能範囲を容易に重ねる機能を安価に実現し、赤外線にて相互にデータをやりとりすることで対向する赤外線データ端末から電話機の制御ならびに電話機を経由してデータ通信等を安定して行うことのできる電話機を提供することを目的とする。
【００１１】
【課題を解決するための手段】
本発明における課題を解決するための手段を以下に説明する。
【００１２】
第１の発明は、固定設置された電話機において、前記電話機がケーブルで接続されたハンドセットを有し、前記ケーブルの範囲内でハンドセットの位置を自在に設定可能とし、前記ハンドセットに所定の通信範囲を有する赤外線発光受光モジュールを設け、赤外線データ通信動作を実行中にハンドセットを電話機本体に収納したことを検知した場合には赤外線データ通信を停止するデータ通信停止手段を設けたものである。
【００１３】
第２の発明は、固定設置された電話機において、前記電話機がケーブルで接続されたハンドセットを有し、前記ケーブルの範囲内でハンドセットの位置を自在に設定可能とし、前記ハンドセットに所定の通信範囲を有する赤外線発光受光モジュールを設け、ハンドセットを電話機本体から取り上げたことを検知した場合にはハンドセット上に取り付けた赤外線発光受光モジュールでの赤外線データの送受信を許可する赤外線送受信起動手段と、ハンドセットを電話機本体に収納したことを検知した場合にはハンドセット上に取り付けた赤外線発光受光モジュールでの赤外線データの送受信を停止する赤外線送受信停止手段を設けたものである。
【００１４】
第３の発明は、ハンドセットを電話機本体から取り上げた状態で音声通話動作を実行中に、切替指示によって音声通話動作を停止し、赤外線データ端末とやりとりするデータを以て公衆回線によるデータ通信を行う赤外線データ通信動作へ切替えるデータ通信切替手段を設けたものである。
【００１５】
第４の発明は、データ通信切替手段として、切替ボタンを用いたものである。
【００１６】
第５の発明は、データ通信切替手段として、赤外線データ端末から受信するデータ通信切替指示データを用いたものである。
【００１７】
【発明の実施の形態】
図１および図２は、本発明の電話機の一実施形態を示すもので、ここでは公衆電話機に対して実施した例を示す。なお、図６，図７と同一符号は同一部分を示している。図１は、公衆電話機全体の外部構成を示すものであり、１００は公衆電話機、２１はダイヤルボタン、２２はデータ通信と音声通話との切替ボタン、３０はハンドセット、３３はフック、３４は通信ケーブル、１０１は前記電話機本体１０に搭載した赤外線発光受光モジュールである。
【００１８】
また、図２は、ハンドセット３０の詳細を示すものであり、１０２は赤外線発光受光モジュールである。
【００１９】
赤外線発光受光モジュール１０２は、ハンドセット３０の中央部の握りの部分の内側にその表面に沿った形で埋め込んであり、通信ケーブル３４によって、送話器３１および受話器３２ともに電話機本体１０に接続されている。ハンドセット３０は図３の如く横向きに端末テーブル４１の上に置いた場合、握りの部分の内側の表面との垂直軸Ｚが端末テーブル４１の表面に対してわずかに上方に傾きθをもつ形で置かれるため、ハンドセット３０に取り付けた赤外線発光受光モジュール１０２の通信可能範囲Ｒ１０２は図３に示すような位置を占めることとなる。
【００２０】
図４は、この一実施形態の電話機を図６にて説明した端末テーブル４０に設置した場合を示すもので、公衆電話機１００の電話機本体１０に取り付けた赤外線発光受光モジュール１０１の通信可能範囲Ｒ１０１は、端末テーブル４０上に置いた赤外線データ端末２００の赤外線発光受光モジュール２０１の通信可能範囲Ｒ２０１には重ならない。しかし、公衆電話機１００からハンドセット３０を取り上げて、端末テーブル４０上に赤外線データ端末２００に対向する形で置いた場合には、ハンドセット３０に取り付けた赤外線発光受光モジュール１０２の通信可能範囲Ｒ１０２は、赤外線データ端末２００の赤外線発光受光モジュール２０１の通信可能範囲Ｒ２０１と重ねることができ、赤外線データ端末２００と公衆電話機１００の間で相互にデータのやりとりを行い、赤外線データ端末２００から公衆電話機１００の制御ならびに公衆電話機１００を経由してデータ通信等を安定して行うことが可能となる。
【００２１】
図５は、本発明の一実施形態における機能ブロック図で、図１〜図３と同じ符号は同じ部分を示す。公衆電話機１００は、通常、ハンドセット３０の取り上げにより、フック検出部１１がハンドセット３０がフック３３から取り上げられたことを検出し、音声通話機能部１２を起動する。そして音声通話機能部１２は、データ通信・音声通話切替機能部１３に対して音声通話の開始を要求し、データ通信・音声通話切替機能部１３は公衆回線接続機能部１４を音声通話機能部１２から制御可能な状態にし、ダイヤル情報送出機能部１５を起動して、ダイヤルボタン２１からのダイヤル情報の入力を待つ。この状態でダイヤルボタン２１の操作によってダイヤル情報が送出された場合には、公衆回線接続機能部１４をダイヤル情報にて制御することにより、接続相手の電話機５００に公衆網３００を介して接続して音声通話を行う。
【００２２】
一方、公衆電話機１００の使用者が赤外線データ端末２００によって赤外線データ通信を行う場合には、取り上げたハンドセット３０を赤外線データ端末２００の近傍に置き、図４にて示したようにハンドセット３０に取り付けた赤外線発光受光モジュール１０２と赤外線データ端末２００の赤外線発光受光モジュール２０１の双方の通信可能範囲Ｒ１０２，Ｒ２０１が重なるようにハンドセット３０を配置する。そして、使用者は、切替ボタン２２を操作することにより、音声通話機能を停止し、データ通信・音声通話切替機能部１３において公衆回線接続機能部１４を赤外線データ通信機能部１６から制御可能とした上で、赤外線データ通信機能部１６を起動する。赤外線データ通信機能部１６は、赤外線発光受光モジュール１０２から赤外線送受信起動・停止機能部１７，赤外線送受信データ混合機能部１８，赤外線データ送信機能部１９，赤外線データ受信機能部２０を経由して、赤外線データ端末２００との間でデータのやりとりを行い、赤外線データ端末２００からの受信データによる指示あるいはダイヤル情報送出機能部１５からのダイヤル情報により公衆回線接続機能部１４を制御することで、接続相手のデータ端末４００と接続してデータ通信を行うことができる。以上の説明は本発明の請求項３及び４を実施したものであり、赤外線送受信機能は赤外線データ送信機能部１９，赤外線データ受信機能部２０および赤外線送受信データ混合機能部１８等によって奏され、赤外線データ通信機能は赤外線データ通信機能部１６によって果たされ、音声通話機能は音声通話機能部１２によって奏される。データ通信・音声通話切替機能部１３が請求項３におけるデータ通信切替手段であり、切替ボタン２２が請求項４における切替ボタンである。
【００２３】
請求項４のかわりに請求項５を適用した場合には、切替ボタン２２は具備せず、赤外線データ端末２００からの受信データの指示によって音声通話を停止し、赤外線データ通信動作を行う。
【００２４】
また、公衆電話機１００の電話機本体１０に取り付けている赤外線発光受光モジュール１０１は、赤外線データ端末２００との間で通信可能範囲を重ねられる場合に、ハンドセット３０を取り上げずに赤外線データ通信動作を行う場合に使用されることもあるが、ハンドセット３０を取り上げてハンドセット３０上の赤外線発光受光モジュール１０２が使用可能な状態であれば使用可能とすることができ、その場合には、双方の赤外線送受信データは、赤外線送受信データ混合機能部１８にて、送信データについては赤外線データ送信機能部１９からのデータがそれぞれに分配され、受信データについては、双方の受信データの論理和を取って、または赤外線データ受信機能部２０に送られる。
【００２５】
なお、赤外線発光受光モジュール１０２が使用可能な状態中には赤外線発光受光モジュール１０１を使用可能としない動作とすることもでき、その場合は、赤外線送受信データ混合機能部１８は、フック検出部１１からの指示を受け、ハンドセット３０が取り上げられた場合には、赤外線発光受光モジュール１０１からのデータ受信または赤外線発光受光モジュール１０１へのデータの送信を行わない動作となるようにするとともに、既に赤外線発光受光モジュール１０１によって赤外線データ通信を行っている場合には、赤外線発光受光モジュール１０１による赤外線データ通信を続行し、赤外線送受信データ混合機能部１８はハンドセット３０が取り上げられたことを検知しても、赤外線発光受光モジュール１０２からのデータの受信ならびに赤外線発光受光モジュール１０２へのデータの送信は行わないようにする。
【００２６】
なお、請求項１を実施した場合には、ハンドセット３０上の赤外線発光受光モジュール１０２を使用して赤外線データ通信動作を行っている状態で、ハンドセット３０を電話機本体１０に収納すると、フック３３が動作しフック検出部１１がハンドセット３０が収納されたことを検知し、赤外線データ通信機能部１６に通知することで、赤外線データ通信機能部１６は公衆回線接続機能部１４に対して回線切断を指示し、相手のデータ端末４００とのデータ通信動作を停止する動作を行う。ここにおいては、赤外線データ通信機能部１６が請求項１におけるデータ通信停止手段となっている。
【００２７】
また、請求項２を実施した場合には、ハンドセット３０が電話機本体１０に収納された状態では、赤外線発光受光モジュール１０２の動作を停止し、ハンドセット３０が取り上げられた状態では、赤外線発光受光モジュール１０２の動作を可能とする制御を赤外線送受信起動・停止機能部１７が行う。ここに赤外線送受信起動・停止機能部１７は、請求項２における赤外線送受信起動手段及び赤外線送受信停止手段の両方を併せたものになっている。
【００２８】
なお、上記の実施形態では電話機として公衆電話機１００を例にしたが、本発明はこれに限定されるものではない。
【００２９】
【発明の効果】
以上説明したように、ハンドセットを電話機本体より取り上げ移動することによって赤外線データ端末の赤外線発光受光モジュールにおける通信可能範囲と容易に重ねられるように、赤外線発光受光モジュールをハンドセット上に取り付けているので、赤外線データ端末側の移動のみでは電話機と赤外線データ端末相互の赤外線発光受光モジュールの通信可能範囲を重ねることができない場合でも、ハンドセットを移動することにより電話機と赤外線データ端末との間で相互の赤外線発光受光モジュールの通信可能範囲を容易に重ねることができ、赤外線データ端末から電話機の制御ならびに電話機を経由してデータ通信等を安定して行うことが可能となる。
【００３０】
また、赤外線発光受光モジュールを電話機のハンドセットに取り付けているので、電話機において電話機本体から遊離し、通信ケーブルで接続されている部分をハンドセットのみとすることができ、ハンドセットの他に電話機本体から遊離し通信ケーブルにて接続された部分を設けることなく赤外線発光受光モジュールの通信可能範囲を容易に重ねる機能を備えることができるので、利用者にとって操作が煩雑になったり、赤外線発光受光モジュールが移動によって破損されたり、通信ケーブルが切断されることを防ぐために電話機の価格を上昇させるといった問題を解決することができる。
【００３１】
請求項３に記載の発明においては、ハンドセットを電話機本体より取り上げ、電話機と赤外線データ端末相互の赤外線発光受光モジュールの通信可能範囲が重なる位置に移動した場合において、データ通信切替手段によって音声通話動作を停止し赤外線通信動作を開始することができるので、なお音声通話が継続され通信相手に対して移動している送受話器部から雑音等を発信し続けることを抑制できる。
【００３２】
請求項４に記載の発明においては、データ通信切替手段として、切替ボタンを用いたことにより、赤外線データ端末の操作以前に使用者が赤外線データ通信動作へ切替えることの指示を明確に電話機に伝えることができる。
【００３３】
請求項５に記載の発明においては、データ通信切替手段として、赤外線データ端末から受信するデータ通信切替指示データを用いたので、赤外線データ端末からの操作だけで使用者が赤外線データ通信動作へ切り替えることの指示を電話機に伝えることができる。
【００３４】
請求項１に記載の発明においては、赤外線データ通信動作を実行中にハンドセットを電話機本体に収納したことを検知した場合には赤外線データ通信を停止するデータ通信停止手段を設けたので、音声通話動作と同一の操作で赤外線データ端末からの電話機の制御およびデータ通信を終了させることができ、操作性を向上するとともに、通信状態の無効保留を抑止することができる。
【００３５】
請求項２に記載の発明においては、ハンドセットを電話機本体から取り上げたことを検知した場合には、ハンドセット上に取り付けた赤外線発光受光モジュールでの赤外線データの送受信を許可する赤外線送受信起動手段と、ハンドセットを電話機本体に収納したことを検知した場合にはハンドセット上に取り付けた赤外線発光受光モジュールでの赤外線データの送受信を停止する赤外線送受信停止手段を設けたので、ハンドセットを取り上げていない状態での赤外線発光受光モジュールでの赤外線による交互にデータをやりとりする動作を抑制し誤動作を防ぐとともに赤外線発光受光モジュールによる無駄な電力消費を抑えることができる。
【図面の簡単な説明】
【図１】本発明の一実施形態を示す図である。
【図２】本発明の一実施形態のうち、ハンドセットの形態を示す図である。
【図３】ハンドセットに取り付けた赤外線発光受光モジュールの通信可能範囲を示す図である。
【図４】ハンドセットの配管によって赤外線データ端末と公衆電話機の双方の赤外線発光受光モジュールの通信可能範囲を重ねられることを示す図である。
【図５】本発明の一実施形態における機能ブロック構成を示す図である。
【図６】従来の技術における電話機において通信可能範囲が重ならないことを示す図である。
【図７】従来の技術において、ハンドセットとは別に赤外線受光発光モジュールを遊離させて電話機に取り付けた場合を示す図である。
【符号の説明】
１０  電話機本体
１１  フック検出部
１２  音声通話機能部
１３  データ通信・音声通話切替機能部
１４  公衆回線接続機能部
１５  ダイヤル情報送出機能部
１６  赤外線データ通信機能部
１７  赤外線送受信起動・停止機能部
１８  赤外線送受信データ混合機能部
１９  赤外線データ送信機能部
２０  赤外線データ受信機能部
２１  ダイヤルボタン
２２  切替ボタン
３０  ハンドセット
３１  送話器
３２  受話器
３３  フック
３４  通信ケーブル
４０  端末テーブル
４１  端末テーブル
１００  公衆電話機
１０１  赤外線発光受光モジュール
１０２  赤外線発光受光モジュール
２００  赤外線データ端末
２０１  赤外線発光受光モジュール
３００  公衆網
４００  データ端末
５００  電話機
【図１】
0003540518.tif 000002
【図２】
0003540518.tif 000003
【図３】
0003540518.tif 000004
【図４】
0003540518.tif 000005
【図５】
0003540518.tif 000006
【図６】
0003540518.tif 000007
【図７】
0003540518.tif 000008